【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
シールリングアセンブリであって、前記シールリングアセンブリは、
少なくとも１つのリングセグメントであって、前記少なくとも１つのリングセグメントは、前記少なくとも１つのリングセグメントが摩耗するときにシリンダボアに対してシールするように構成され、前記少なくとも１つのリングセグメントは、
自己潤滑性材料と、
第１の表面と
を備える、少なくとも１つのリングセグメントと、
第２の表面を備えている補強層と
を備え、
前記第１の表面および前記第２の表面は、それらの間に界面を形成し、前記界面は、前記第１の表面におよび前記第２の表面に取り付けられる接合層を備えている、シールリングアセンブリ。
【請求項２】
前記接合層は、ろう付けされた界面である、請求項１に記載のシールリングアセンブリ。
【請求項３】
前記自己潤滑性材料は、ポリマーを備えている、請求項１に記載のシールリングアセンブリ。
【請求項４】
前記自己潤滑性材料は、黒鉛を備えている、請求項１に記載のシールリングアセンブリ。
【請求項５】
オイルレス動作のために構成されている、請求項１に記載のシールリングアセンブリ。
【請求項６】
前記少なくとも１つのリングセグメントは、対応する第１の熱膨張係数（ＣＴＥ）を有し、
前記補強層は、対応する第２のＣＴＥを有し、
前記第１のＣＴＥと前記第２のＣＴＥとは、互いに合致させられている、請求項１に記載のシールリングアセンブリ。
【請求項７】
前記補強層は、少なくとも１つの金属シートを備えている、請求項１に記載のシールリングアセンブリ。
【請求項８】
前記補強層は、前記少なくとも１つのリングセグメントの一部に沿って取り付けられている、請求項１に記載のシールリングアセンブリ。
【請求項９】
前記補強層は、前記少なくとも１つのリングセグメントの内側半径方向表面に沿って取り付けられている、請求項１に記載のシールリングアセンブリ。
【請求項１０】
前記少なくとも１つのリングセグメントが動作中に摩耗するとき、前記少なくとも１つのリングセグメントは、圧縮状態のままであり、前記補強層は、動作中、少なくともある時間にわたって引張状態のままである、請求項１に記載のシールリングアセンブリ。
【請求項１１】
デバイスであって、前記デバイスは、
ボアを備えているシリンダであって、前記ボアは、低圧領域と、高圧領域とを備えている、シリンダと、
リング溝を備えているピストンであって、前記ピストンは、前記ボアの軸に沿って平行移動するように構成されている、ピストンと、
前記リング溝の中に配置されたシールリングアセンブリと
を備え、
前記シールリングアセンブリは、
少なくとも１つのリングセグメントであって、前記少なくとも１つのリングセグメントは、前記少なくとも１つのリングセグメントが摩耗するときにシリンダボアに対してシールするように構成され、前記少なくとも１つのリングセグメントは、
自己潤滑性材料と、
第１の表面と
を備える、少なくとも１つのリングセグメントと、
第２の表面を備えている補強材と
を備え、
前記第１の表面および前記第２の表面は、それらの間に界面を形成し、前記界面は、前記第１の表面におよび前記第２の表面に取り付けられる接合層を備えている、デバイス。
【請求項１２】
前記シールリングアセンブリは、前記ボア内でのオイルレス動作のために構成されている、請求項１１に記載のデバイス。
【請求項１３】
前記自己潤滑性材料は、ポリマーを備えている、請求項１１に記載のデバイス。
【請求項１４】
前記補強層は、前記少なくとも１つのリングセグメントの一部に沿って取り付けられている、請求項１１に記載のデバイス。
【請求項１５】
前記補強層は、前記少なくとも１つのリングセグメントの内側半径方向表面に沿って取り付けられている、請求項１１に記載のデバイス。
【請求項１６】
前記少なくとも１つのリングセグメントが動作中に摩耗するとき、前記少なくとも１つのリングセグメントは、圧縮状態のままであり、前記補強層は、動作中、少なくともある時間にわたって引張状態のままである、請求項１１に記載のデバイス。
【請求項１７】
シールリングアセンブリであって、前記シールリングアセンブリは、
少なくとも１つのリングセグメントと、
前記少なくとも１つのリングセグメントと係合された少なくとも１つのワイヤと
を備え、
前記少なくとも１つのワイヤは、前記少なくとも１つのリングセグメントが圧縮状態にあり、前記少なくとも１つのワイヤが引張状態にあるようにする、シールリングアセンブリ。
【請求項１８】
前記ワイヤは、金属を備えている、請求項１７に記載のシールリングアセンブリ。
【請求項１９】
前記少なくとも１つのワイヤは、界面において前記少なくとも１つのリングセグメントに係合されている、請求項１７に記載のシールリングアセンブリ。
【請求項２０】
前記少なくとも１つのワイヤは、引張終端を使用して、前記少なくとも１つのリングセグメントに係合されている、請求項１７に記載のシールリングアセンブリ。
【請求項２１】
前記少なくとも１つのワイヤは、少なくとも１つのねじ山付き端部を備え、
前記引張終端は、前記ねじ山付き端部に対応するねじ山を備え、
前記引張終端は、前記ねじ山付き端部上にねじ式で通され、前記係合を引き起こす、請求項２０に記載のシールリングアセンブリ。
【請求項２２】
前記引張終端は、前記ねじ山付き端部にトルクがかけられる、請求項２０に記載のシールリングアセンブリ。
【請求項２３】
前記少なくとも１つのワイヤは、前記少なくとも１つのリングセグメントを通して方位角に延びている、請求項１７に記載のシールリングアセンブリ。
【請求項２４】
前記少なくとも１つのリングセグメントのうちの少なくとも１つは、自己潤滑性材料を備えている、請求項１７に記載のシールリングアセンブリ。
【請求項２５】
前記少なくとも１つのリングセグメントのうちの少なくとも１つは、黒鉛を備えている、請求項１７に記載のシールリングアセンブリ。
【請求項２６】
デバイスであって、前記デバイスは、
ボアを備えているシリンダであって、前記ボアは、低圧領域と、高圧領域とを備えている、シリンダと、
リング溝を備えているピストンであって、前記ピストンは、前記ボアの軸に沿って平行移動するように構成されている、ピストンと、
前記リング溝の中に配置されたシールリングアセンブリと
を備え、
前記シールリングアセンブリは、
少なくとも１つのリングセグメントであって、前記少なくとも１つのリングセグメントは、前記少なくとも１つのリングセグメントが摩耗するときにシリンダボアに対してシールするように構成されている、少なくとも１つのリングセグメントと、
前記少なくとも１つのリングセグメントと係合された少なくとも１つのワイヤと
を備え、
前記少なくとも１つのワイヤは、前記少なくとも１つのリングセグメントが圧縮状態にあり、前記少なくとも１つのワイヤが引張状態にあるようにする、デバイス。
【請求項２７】
前記シールリングアセンブリは、前記ボア内でのオイルレス動作のために構成されている、請求項２６に記載のデバイス。
【請求項２８】
前記少なくとも１つのワイヤは、前記少なくとも１つのリングセグメントを通して方位角に延びている、請求項２６に記載のデバイス。
【請求項２９】
前記少なくとも１つのリングセグメントのうちの少なくとも１つは、自己潤滑性材料を備えている、請求項２６に記載のデバイス。
【請求項３０】
前記少なくとも１つのリングセグメントのうちの少なくとも１つは、黒鉛を備えている、請求項２６に記載のデバイス。
【手続補正２】
【補正対象書類名】明細書
【補正対象項目名】００１６
【補正方法】変更
【補正の内容】
【００１６】
いくつかの実施形態では、本開示は、シリンダと、ピストンと、シールリングアセンブリとを含むデバイスを対象とする。シリンダは、ボアを含み、ボアは、次に、低圧領域と、高圧領域とを含む。ピストンは、リング溝を含み、ピストンは、ボアの軸に沿って平行移動するように構成される。シールリングアセンブリは、リング溝の中に配置される。シールリングアセンブリは、低圧領域と高圧領域との間でシールするように構成された少なくとも１つのリングセグメントと、少なくとも１つのリングセグメントを圧縮状態にさせ、少なくとも１つのワイヤを引張状態にさせる少なくとも１つのリングセグメントと係合された少なくとも１つのワイヤとを含む。いくつかの実施形態では、シールリングアセンブリは、ボア内でのオイルレス動作のために構成される。いくつかの実施形態では、例えば、少なくとも１つのワイヤは、金属または炭素繊維を含む。
本発明は、例えば、以下を提供する。
（項目１）
シールリングアセンブリであって、前記シールリングアセンブリは、
少なくとも１つのリングセグメントと、
界面において前記少なくとも１つのリングセグメントに取り付けられた少なくとも１つの金属層と
を備え、
前記金属層は、前記界面において、前記少なくとも１つのリングセグメント上に圧縮予負荷を提供する、シールリングアセンブリ。
（項目２）
前記界面は、ろう付けされた界面である、項目１に記載のシールリングアセンブリ。
（項目３）
前記少なくとも１つのリングセグメントのうちの少なくとも１つは、自己潤滑性材料を備えている、項目１に記載のシールリングアセンブリ。
（項目４）
前記少なくとも１つのリングセグメントのうちの少なくとも１つは、黒鉛を備えている、項目１に記載のシールリングアセンブリ。
（項目５）
オイルレス動作のために構成されている、項目１に記載のシールリングアセンブリ。
（項目６）
前記少なくとも１つのリングセグメントは、対応する第１の熱膨張係数（ＣＴＥ）を有し、
前記金属層は、対応する第２のＣＴＥを有し、
前記第１のＣＴＥと前記第２のＣＴＥとは、互いに合致させられている、項目１に記載のシールリングアセンブリ。
（項目７）
前記金属層は、少なくとも１つの金属シートを備えている、項目１に記載のシールリングアセンブリ。
（項目８）
前記金属層は、前記少なくとも１つのリングセグメントの一部に沿って取り付けられている、項目１に記載のシールリングアセンブリ。
（項目９）
前記金属層は、前記少なくとも１つのリングセグメントの内側半径方向表面に沿って取り付けられている、項目１に記載のシールリングアセンブリ。
（項目１０）
前記少なくとも１つのリングセグメントが動作中に摩耗するとき、前記少なくとも１つのリングセグメントは、圧縮状態のままであり、前記少なくとも１つの金属層は、動作中、少なくともある時間にわたって引張状態のままである、項目１に記載のシールリングアセンブリ。
（項目１１）
デバイスであって、前記デバイスは、
ボアを備えているシリンダであって、前記ボアは、低圧領域と、高圧領域とを備えている、シリンダと、
リング溝を備えているピストンであって、前記ピストンは、前記ボアの軸に沿って平行移動するように構成されている、ピストンと、
前記リング溝の中に配置されたシールリングアセンブリと
を備え、
前記シールリングアセンブリは、
前記低圧領域と前記高圧領域との間でシールするように構成された少なくとも１つのリングセグメントと、
界面において前記少なくとも１つのリングセグメントに取り付けられた少なくとも１つの金属層と
を備え、
前記金属層は、前記界面において、前記少なくとも１つのリングセグメント上に圧縮予負荷を提供する、デバイス。
（項目１２）
前記シールリングアセンブリは、前記ボア内でのオイルレス動作のために構成されている、項目１１に記載のデバイス。
（項目１３）
前記少なくとも１つのリングセグメントのうちの少なくとも１つは、自己潤滑性材料を備えている、項目１１に記載のデバイス。
（項目１４）
前記金属層は、前記少なくとも１つのリングセグメントの一部に沿って取り付けられている、項目１１に記載のデバイス。
（項目１５）
前記金属層は、前記少なくとも１つのリングセグメントの内側半径方向表面に沿って取り付けられている、項目１１に記載のデバイス。
（項目１６）
前記少なくとも１つのリングセグメントが動作中に摩耗するとき、前記少なくとも１つのリングセグメントは、圧縮状態のままであり、前記少なくとも１つの金属層は、動作中、少なくともある時間にわたって引張状態のままである、項目１１に記載のデバイス。
（項目１７）
シールリングアセンブリであって、前記シールリングアセンブリは、
少なくとも１つのリングセグメントと、
前記少なくとも１つのリングセグメントと係合された少なくとも１つのワイヤと
を備え、
前記少なくとも１つのワイヤは、前記少なくとも１つのリングセグメントが圧縮状態にあり、前記少なくとも１つのワイヤが引張状態にあるようにする、シールリングアセンブリ。
（項目１８）
前記ワイヤは、金属を備えている、項目１７に記載のシールリングアセンブリ。
（項目１９）
前記少なくとも１つのワイヤは、界面において前記少なくとも１つのリングセグメントに係合されている、項目１７に記載のシールリングアセンブリ。
（項目２０）
前記少なくとも１つのワイヤは、引張終端を使用して、前記少なくとも１つのリングセグメントに係合されている、項目１７に記載のシールリングアセンブリ。
（項目２１）
前記少なくとも１つのワイヤは、少なくとも１つのねじ山付き端部を備え、
前記引張終端は、前記ねじ山付き端部に対応するねじ山を備え、
前記引張終端は、前記ねじ山付き端部上にねじ式で通され、前記係合を引き起こす、項目２０に記載のシールリングアセンブリ。
（項目２２）
前記引張終端は、前記ねじ山付き端部にトルクがかけられる、項目２０に記載のシールリングアセンブリ。
（項目２３）
前記少なくとも１つのワイヤは、前記少なくとも１つのリングセグメントを通して方位角に延びている、項目１７に記載のシールリングアセンブリ。
（項目２４）
前記少なくとも１つのリングセグメントのうちの少なくとも１つは、自己潤滑性材料を備えている、項目１７に記載のシールリングアセンブリ。
（項目２５）
前記少なくとも１つのリングセグメントのうちの少なくとも１つは、黒鉛を備えている、項目１７に記載のシールリングアセンブリ。
（項目２６）
デバイスであって、前記デバイスは、
ボアを備えているシリンダであって、前記ボアは、低圧領域と、高圧領域とを備えている、シリンダと、
リング溝を備えているピストンであって、前記ピストンは、前記ボアの軸に沿って平行移動するように構成されている、ピストンと、
前記リング溝の中に配置されたシールリングアセンブリと
を備え、
前記シールリングアセンブリは、
前記低圧領域と前記高圧領域との間でシールするように構成された少なくとも１つのリングセグメントと、
前記少なくとも１つのリングセグメントと係合された少なくとも１つのワイヤと
を備え、
前記少なくとも１つのワイヤは、前記少なくとも１つのリングセグメントが圧縮状態にあり、前記少なくとも１つのワイヤが引張状態にあるようにする、デバイス。
（項目２７）
前記シールリングアセンブリは、前記ボア内でのオイルレス動作のために構成されている、項目２６に記載のデバイス。
（項目２８）
前記少なくとも１つのワイヤは、前記少なくとも１つのリングセグメントを通して方位角に延びている、項目２６に記載のデバイス。
（項目２９）
前記少なくとも１つのリングセグメントのうちの少なくとも１つは、自己潤滑性材料を備えている、項目２６に記載のデバイス。
（項目３０）
前記少なくとも１つのリングセグメントのうちの少なくとも１つは、黒鉛を備えている、項目２６に記載のデバイス。